(57)【要約】【課題】電解水を日常生活の多様な用途に漏れなく活用することを可能にした電解水供給システムを提供する。【解決手段】実施形態によれば、電解水供給システムは、複数の区画（共有設備、住宅設備、専用設備）を階層化させた構造を有する建物において、各々の階層（フロア）１,２,３における区画に電解水を供給する。電解水供給システムは、電解水製造装置４と、電解水を希釈する電解水希釈手段５,６と、複数の階層（フロア）に電解水を供給する電解水供給配管７と、複数の区画に電解水を供給する電解水供給網８と、を備える。電解水製造装置、及び、電解水希釈手段は、電解水供給配管によって電解水を供給する階層よりも上の階層（例えば、屋上フロア１０）に設置されている。【選択図】図１
2017056397.tif 000002
【特許請求の範囲】
【請求項１】
複数の区画を階層化させた構造を有する建物において、各々の階層における前記区画に電解水を供給する電解水供給システムであって、
前記電解水を製造する、少なくとも１つの電解水製造装置と、
前記電解水製造装置によって製造された前記電解水を希釈する、少なくとも１つの電解水希釈手段と、
前記電解水希釈手段に接続され、かつ、複数の前記階層に前記電解水を供給可能な、少なくとも１つの電解水供給配管と、
前記電解水供給配管に接続され、かつ、各々の前記階層に沿って延出し、複数の前記区画に前記電解水を供給可能な、少なくとも１つの電解水供給網と、を備え、
前記電解水製造装置、及び、前記電解水希釈手段は、前記電解水供給配管によって前記電解水を供給する前記階層よりも上の階層に設置されている電解水供給システム。
【請求項２】
前記電解水供給配管と、前記電解水供給網との間に接続され、前記電解水の流れ状態を監視する流れモニタと、
前記電解水製造装置を制御可能な給水制御装置と、を備え、
前記流れモニタの出力に基づいて、前記給水制御装置が前記電解水製造装置を制御することで、前記電解水が自動的に製造される請求項１に記載の電解水供給システム。
【請求項３】
前記流れモニタは、前記電解水製造装置、及び、前記電解水希釈手段が設置された前記階層の直下に隣り合う階層に沿って延出した前記電解水供給網と、前記電解水希釈手段との間の前記電解水供給配管に接続され、
前記電解水希釈手段から流出した前記電解水の流れ状態を監視する請求項２に記載の電解水供給システム。
【請求項４】
製造された前記電解水の容量を監視する容量モニタと、
前記電解水製造装置を制御可能な給水制御装置と、を備え、
前記容量モニタの出力に基づいて、前記給水制御装置が前記電解水製造装置を制御することで、前記電解水が自動的に製造される請求項１に記載の電解水供給システム。
【請求項５】
前記電解水希釈手段は、製造された前記電解水を貯水可能な貯水タンクを有し、
前記容量モニタは、前記貯水タンクに貯水された前記電解水の貯水量を監視する請求項４に記載の電解水供給システム。
【請求項６】
前記建物には、各々の前記階層における前記区画に水道水を供給する水道水配管が設けられていると共に、
前記水道水配管に接続され、かつ、前記水道水を吐出可能な水道水蛇口が設けられている前記建物の前記区画において、
前記水道水配管と前記水道水蛇口との間には、切り替え機構が接続されていると共に、
前記切り替え機構には、前記電解水供給網が接続され、
前記切り替え機構を制御することで、前記水道水蛇口から水道水を吐出させることと、前記水道水蛇口から前記電解水を吐出させることと、のいずれかに切り替えることが可能である請求項１に記載の電解水供給システム。
【請求項７】
前記電解水供給配管は、重力方向に沿って延出し、
前記電解水製造装置で製造された電解水は、前記電解水希釈手段で希釈化された後、前記電解水供給配管に沿って自由落下することで、前記電解水供給網に流れ込む請求項１に記載の電解水供給システム。
【請求項８】
前記建物には、各々の前記階層における前記区画に水道水を供給する水道水配管が設けられていると共に、
前記水道水配管には、バルブ機構を介して、前記電解水製造装置と前記電解水希釈手段とが接続され、
前記バルブ機構を制御することで、前記電解水製造装置から前記水道水配管に前記電解水を流すことと、前記電解水希釈手段から前記水道水配管に前記電解水を流すことと、前記水道水配管に前記水道水を流すことと、のいずれかに切り替えることが可能である請求項１に記載の電解水供給システム。
【請求項９】
前記電解水製造装置から前記水道水配管に前記電解水を流すことで、前記水道水配管の内部に対する洗浄及び殺菌が可能である請求項８に記載の電解水供給システム。
【発明の詳細な説明】
【技術分野】
【０００１】
本発明の実施形態は、例えば、集合建物内の複数個所に電解水を供給することが可能な電解水供給システムに関する。
【背景技術】
【０００２】
近年、例えば、食品や調理器具を効果的に殺菌するために、電解水製造装置が衛生管理機器として販売されるようになった。電解水製造装置は、電解水として、酸性水とアルカリ性水とを同時に製造可能に構成されている。酸性水は、例えば、対象物の消毒や殺菌などに用いることができる。アルカリ性水は、例えば、胃腸症の改善、或いは、対象物の清掃や洗浄、除臭（消臭）などに用いることができる。
【先行技術文献】
【特許文献】
【０００３】
【特許文献１】特開平９−１４４０８０号公報
【特許文献２】特開２００９−１２７２６０号公報
【発明の概要】
【発明が解決しようとする課題】
【０００４】
上記したように、電解水は、日常生活の多様な用途に活用することができる。ここで、従来、複数個所で電解水を適用する場合、複数の電解水製造装置を、それぞれの適用箇所に設置させる必要がある。しかしながら、例えば、１つの建物内に、複数の世帯や共有エリアが混在した集合建物では、全ての適用箇所に電解水製造装置を設置できない場合があった。この場合、電解水製造装置を設置できない適用箇所には、電解水自体を直接運搬しなければならない。このため、電解水を日常生活の多様な用途に漏れなく活用できない状態にあった。
【０００５】
本発明の目的は、電解水を日常生活の多様な用途に漏れなく活用することを可能にした電解水供給システムを提供することにある。
【課題を解決するための手段】
【０００６】
実施形態によれば、電解水供給システムは、複数の区画を階層化させた構造を有する建物において、各々の階層における区画に電解水を供給する。電解水供給システムは、電解水製造装置と、電解水を希釈する電解水希釈手段と、複数の階層に電解水を供給する電解水供給配管と、複数の区画に電解水を供給する電解水供給網と、を備える。電解水製造装置、及び、電解水希釈手段は、電解水供給配管によって電解水を供給する階層よりも上の階層に設置されている。
【図面の簡単な説明】
【０００７】
【図１】一実施形態において、集合建物に適用した電解水供給システムの模式図。
【図２】図１の電解水製造装置の構成を概略的に示すブロック図。
【図３】電解水製造装置の動作を示すフローチャート。
【図４】電解水の希釈のサブルーチンを示すフローチャート。
【発明を実施するための形態】
【０００８】
「一実施形態」  
本実施形態に係る電解水供給システムは、複数の区画を階層化させた構造を有する集合建物に適用可能である。集合建物としては、例えば、マンションやコンドミニアムなどの集合住宅、或いは、ショッピングモールや大規模百貨店などの多目的商業施設などを想定することができる。集合建物は、複数のフロアを階層化させて構成されている。複数のフロアにおいて、隣り合う各フロアは、重力方向に沿って上下に階層化されている。
【０００９】
図１には、集合建物の一例として、高層マンションのフロア構成が示されている。低層から最上層の各フロア１,２,３は、複数に区画されている。区画とは、電解水（酸性水、アルカリ性水）を活用する場所や施設を指す。即ち、低層フロア１において、例えば、エレベータ１ａ、エレベータホール（エントランス）１ｂ、ペットの足洗い場１ｃなどの共有設備が区画されている。中層フロア２において、例えば、キッチン２ａ、バスルーム２ｂなどの住宅設備が区画されている。最上層フロア３において、例えば、プール３ａ、レストルーム（rest room）３ｂなどの専用設備が区画されている。
【００１０】
このようなフロア構成において、複数の区画には、それぞれ、取水口（図示しない）が設けられている。取水口は、後述する電解水供給システムによって供給される電解水（酸性水、アルカリ性水）を取り入れ可能に構成されている。
【００１１】
「電解水供給システムの概要」  
本実施形態では、上記した各階層（フロア）１,２,３における複数の区画（例えば、共有設備、住宅設備、専用設備）に電解水（酸性水、アルカリ性水）を供給する電解水供給システムを想定する。電解水供給システムは、図１〜図２に示すように、電解水製造装置４と、電解水希釈手段５,６と、電解水供給配管７と、電解水供給網８と、給水制御装置９と、を備えている。
【００１２】
電解水製造装置４は、電解水（酸性水、アルカリ性水）を製造可能に構成されている。この場合、給水制御装置９が電解水製造装置４（例えば、後述する給水機構２１）を制御することで、電解水（酸性水、アルカリ性水）の製造状態（例えば、製造量、製造速度など）が調整されている。図面には一例として、１つの電解水製造装置４が示されている。この場合、上記した集合建物（高層マンション）の規模や構造に応じて、複数の電解水製造装置４を適用してもよい。
【００１３】
電解水希釈手段５,６は、電解水製造装置４によって製造された電解水（酸性水、アルカリ性水）を希釈可能に構成されている（図２参照）。図面には一例として、アルカリ性水を希釈するための１つのアルカリ性水（電解水）希釈手段５と、酸性水を希釈するための１つの酸性水（電解水）希釈手段６と、が示されている。この場合、上記した電解水製造装置４の個数、及び、集合建物（高層マンション）の規模や構造に応じて、複数の電解水希釈手段５,６を適用してもよい。
【００１４】
電解水供給配管７は、電解水希釈手段５,６に接続されている。電解水供給配管７は、複数の階層（フロア）に電解水（酸性水、アルカリ性水）を供給可能に構成されている。図面には一例として、１本の電解水供給配管７が示されている。この場合、上記した電解水希釈手段５,６の個数、及び、集合建物（高層マンション）の規模や構造に応じて、複数本の電解水供給配管７を適用してもよい。
【００１５】
なお、１本の電解水供給配管７を構成した場合（図１参照）、酸性水とアルカリ性水とを交互に供給すればよい。アルカリ性水供給配管と、酸性水供給配管とを別々に構成した場合（図示しない）、アルカリ性水と酸性水とを同時に供給することが可能となる。
【００１６】
電解水供給網８は、電解水供給配管７に接続されている。電解水供給網８は、各々の階層（フロア）に沿って延出している。電解水供給網８は、階層（フロア）毎に、複数の区画（例えば、共有設備、住宅設備、専用設備）に電解水（酸性水、アルカリ性水）を供給可能に構築されている。図面には一例として、階層（フロア）毎に１つの電解水供給網８（白抜き矢印）が示されている。この場合、上記した電解水供給配管７の本数、及び、集合建物（高層マンション）の規模や構造に応じて、複数の電解水供給網８を適用してもよい。
【００１７】
なお、１つの電解水供給網８を構成した場合（図１参照）、酸性水とアルカリ性水とを交互に供給すればよい。酸性水供給網と、アルカリ性水供給網とを別々に構成した場合（図示しない）、酸性水とアルカリ性水とを同時に供給することが可能となる。
【００１８】
「電解水供給システムの特徴」  
本実施形態の電解水供給システムにおいて、電解水製造装置４、及び、電解水希釈手段５,６は、電解水供給配管７によって電解水（酸性水、アルカリ性水）を供給する階層（フロア）１,２,３よりも上の階層（フロア）に設置されている。図面では一例として、電解水製造装置４、及び、電解水希釈手段５,６は、上記した専用設備（例えば、プール３ａ、レストルーム３ｂ）が区画された最上層フロア３よりも上の階層１０（例えば、屋上フロア１０）に設置されている。
【００１９】
電解水供給配管７は、重力方向に沿って延出している。図面には一例として、重力方向に沿って平行かつ真っ直ぐに延出した電解水供給配管７が示されている。電解水供給配管７は、屋上フロア１０の電解水希釈手段５,６から最上層フロア３ないし中層フロア２を経由して、低層フロア１に亘って延出している。電解水供給配管７は、後述する水道水配管（図示しない）とは別途独立して延出している。
【００２０】
この場合、電解水（酸性水、アルカリ性水）は、電解水供給配管７内を自由落下する。ここで、電解水（酸性水、アルカリ性水）を自由落下させることが可能であれば、電解水供給配管７は、必ずしも重力方向に沿って平行かつ真っ直ぐに延出させる必要はない。例えば、建物内の障害物（図示しない）を回避するように、電解水供給配管７を、傾斜させたり、或いは、湾曲させたりすることが可能である。要するに、電解水供給配管７は、使用環境や使用目的に応じて、任意に構成することが可能であり、高い設計の自由度を有している。
【００２１】
上記した構成によれば、電解水製造装置４によって電解水（酸性水、アルカリ性水）が製造される。製造された電解水（酸性水、アルカリ性水）は、電解水希釈化手段５,６によって、予め設定された濃度に希釈化される。希釈化電解水（酸性水、アルカリ性水）は、電解水供給配管７に沿って自由落下する。自由落下することで、希釈化電解水（酸性水、アルカリ性水）は、各階層（フロア）１,２,３に沿って延出した電解水供給網８に流れ込む。
【００２２】
即ち、例えば、ポンプなどの送水機構を別途設けること無く、希釈化電解水を、各階層（フロア）１,２,３の電解水供給網８に行き渡らせることができる。かくして、希釈化電解水（酸性水、アルカリ性水）は、各階層（フロア）１,２,３における複数の区画（例えば、共有設備、住宅設備、専用設備）に供給される。各々の区画に供給された希釈化電解水（酸性水、アルカリ性水）は、上記した取水口（図示しない）を通って、当該区画内に取り入れられる。
【００２３】
以下、電解水供給システムについて、具体的に説明する。  
「電解水製造装置４」  
電解水製造装置４は、３室型の電解槽１１を備えている。電解槽１１は、中間室（電解室）１２と、中間室１２の両側に隣接した陽極室１３及び陰極室１４と、を有している。中間室１２と陽極室１３とは、陰イオン交換膜１５で仕切られている。中間室１２と陰極室１４とは、陽イオン交換膜１６で仕切られている。陽極室１３内には、陽極１７が設けられている。陰極室１４内には、陰極１８が設けられている。陽極１７及び陰極１８は、相互に等しい大きさの矩形状を有している。陽極１７及び陰極１８は、中間室１２の両側に配置され、互いに対向している。
【００２４】
電解水製造装置４は、電源１９と、電解液供給機構２０と、給水機構２１と、を備えている。なお、電源１９は、陽極１７に正電圧を印加可能に構成されている。電源１９は、陰極１８に負電圧を印加可能に構成されている。
【００２５】
電解液供給機構２０は、塩水タンク２２と、供給配管２３と、送水ポンプ２４と、排出配管２５と、を有している。塩水タンク２２は、飽和塩水（電解液）を生成可能に構成されている。供給配管２３は、塩水タンク２２と中間室１２の下部とを連結するように延びている。供給配管２３には、送水ポンプ２４が接続されている。排出配管２５は、中間室１２の上部と塩水タンク２２とを連結するように延びている。
【００２６】
給水機構２１は、給水源２６と、給水配管２７と、アルカリ性水配管２８と、酸性水配管２９と、気液分離器３０と、給水バルブ３１と、を有している。なお、給水源２６は、例えば、水道水、軟水化処理水などの水（被電解液）を供給可能に構成されている。ここで、軟水化処理水は、軟水器（図示しない）で水道水を軟水化させることで得られる。また、上記した飽和食塩も、軟水化処理水を用いて生成することができる。
【００２７】
給水配管２７は、給水源２６と、陽極室１３及び陰極室１４の双方の下部と、を連結させるように延びている。アルカリ性水配管２８は、陰極室１４の上部に接続されている。酸性水配管２９は、陽極室１３の上部に接続されている。気液分離器３０は、アルカリ性水配管２８に接続されている。給水バルブ３１は、給水源２６と給水配管２７との間に接続されている。給水バルブ３１は、給水制御装置９によって、開閉制御される。
【００２８】
図面では、給水源２６の一例として、受水槽３２が適用されている。受水槽３２は、電解水製造装置４が設置された屋上フロア１０に設けられている。受水槽３２には、ポンプ３３（図１参照）で汲み上げられた水道水が一時的に貯水可能に構成されている。受水槽３２に貯水された水道水が、被電解水として陽極室１３及び陰極室１４の双方に供給される。なお、受水槽３２は、必ずしも必要では無く、例えば、ポンプ３３で汲み上げられた水道水を、ダイレクトに電解水製造装置４（陽極室１３、陰極室１４）に供給可能な構成を給水源として適用してもよい。
【００２９】
このような構成において、送水ポンプ２４を駆動させる。これにより、塩水タンク２２で生成された飽和塩水（以下、塩水と言う）が、供給配管２３から中間室１２の下部を通って、中間室１２に流入する。このとき、給水制御装置９によって給水バルブ３１を開制御する。これにより、上記した給水源２６から供給された水が、給水配管２７から陽極室１３及び陰極室１４の双方の下部を通って、陽極室１３及び陰極室１４にそれぞれ流入する。同時に、電源１９から陽極１７に正電圧を、陰極１８に負電圧をそれぞれ印加する。
【００３０】
このとき、中間室１２に流入した塩水中に電離しているナトリウムイオン（陽イオン）は、陰極１８に引き寄せられる。ナトリウムイオン（陽イオン）は、陽イオン交換膜１６を通過して、陰極室１４に流入する。陰極室１４において、陰極１８で水が電気分解される。これにより、水素ガスと水酸化ナトリウム水溶液が生成される。生成された水素ガスと水酸化ナトリウム水溶液は、陰極室１４からアルカリ性水配管２８に流出した後、気液分離器３０によって、水素ガスと水酸化ナトリウム水溶液とに分離される。分離された水酸化ナトリウム水溶液（即ち、アルカリ性水）は、アルカリ性水配管２８を通って、後述するアルカリ性水（電解水）希釈手段５に供給される。
【００３１】
更に、中間室１２に流入した塩水中に電離している塩素イオン（陰イオン）は、陽極１７に引き寄せられる。塩素イオン（陰イオン）は、陰イオン交換膜１５を通過して、陽極室１３に流入する。陽極室１３において、塩素イオン（陰イオン）が還元される。このとき、塩素ガスが発生する。発生した塩素ガスは、陽極室１３内の水と反応する。これにより、次亜塩素酸と塩酸が生成される。生成された次亜塩素酸と塩酸によって、陽極室１３内に酸性水が生成される。生成された酸性水は、酸性水配管２９を通って、後述する酸性水（電解水）希釈手段６に供給される。
【００３２】
なお、中間室１２の下部から中間室１２内に流入した塩水は、中間室１２の上部から流出した後、排出配管２５を通って塩水タンク２２に戻される。これにより、塩水タンク２２から供給配管２３、そして、電解槽１１の中間室１２を経由した後、排出配管２５から再び塩水タンク２２に至る一連の電解液（塩水）循環経路が構成されている。
【００３３】
「電解水希釈手段５,６」  
アルカリ性水（電解水）希釈手段５は、アルカリ性水タンク５ｔを有している。アルカリ性水タンク５ｔは、密閉された貯水空間（図示しない）を有している。アルカリ性水タンク５ｔには、上記したアルカリ性水配管２８が接続されている。かかる構成において、上記したアルカリ性水配管２８を通って供給されたアルカリ性水（電解水）は、アルカリ性水タンク５ｔの貯水空間に一時的に貯水される。
【００３４】
アルカリ性水タンク５ｔには、第１希釈配管３４が接続されている。第１希釈配管３４には、上記した給水源２６が接続されている。また、給水源２６と第１希釈配管３４との間には、第１希釈バルブ３５が接続されている。第１希釈バルブ３５は、給水制御装置９によって、開閉制御される。
【００３５】
酸性水（電解水）希釈手段６は、酸性水タンク６ｔを有している。酸性水タンク６ｔは、密閉された貯水空間（図示しない）を有している。酸性水タンク６ｔには、上記した酸性水配管２９が接続されている。かかる構成において、上記した酸性水配管２９を通って供給された酸性水（電解水）は、酸性水タンク６ｔの貯水空間に一時的に貯水される。
【００３６】
酸性水タンク６ｔには、第２希釈配管３６が接続されている。第２希釈配管３６には、上記した給水源２６が接続されている。給水源２６と第２希釈配管３６との間には、第２希釈バルブ３７が接続されている。第２希釈バルブ３７は、給水制御装置９によって、開閉制御される。
【００３７】
アルカリ性水タンク５ｔには、第１容量モニタ３８が設けられている。第１容量モニタ３８は、アルカリ性水タンク５ｔ（貯水空間）に貯水されたアルカリ性水（電解水）の容量（貯水量）を監視可能に構成されている。第１容量モニタ３８は、例えば、アルカリ性水タンク５ｔ（貯水空間）内に予め設定された喫水線（図示しない）に対するアルカリ性水（電解水）の容量（貯水量）を監視する。なお、アルカリ性水タンク５ｔの容量（貯水量）は、例えば、上記した集合建物（高層マンション）の規模、アルカリ性水（電解水）の使用量の多少に応じて設定されるため、ここでは特に限定しない。
【００３８】
この場合、アルカリ性水（電解水）の容量（貯水量）が、喫水線を下回っているとき、第１容量モニタ３８の出力に基づいて、給水制御装置９が電解水製造装置４を制御する。即ち、給水制御装置９が、給水バルブ３１、及び、第１希釈バルブ３５をそれぞれ開制御する。このとき、給水源２６から供給された水が、給水配管２７を通って陰極室１４に流入する。陰極室１４で生成されたアルカリ性水（電解水）が、アルカリ性水配管２８を通ってアルカリ性水タンク５ｔに供給される。同時に、給水源２６から供給された水が、第１希釈配管３４を通ってアルカリ性水タンク５ｔに流入する。これにより、予め設定された濃度のアルカリ性水（電解水）が、自動的に製造され、アルカリ性水タンク５ｔに貯水される。
【００３９】
ここで、アルカリ性水（電解水）は、ナトリウム濃度が、０．１ｐｐｍ〜２５００ｐｐｍの範囲、好ましくは、１ｐｐｍ〜５００ｐｐｍの範囲、更に好ましくは、１０ｐｐｍ〜３００ｐｐｍの範囲になるように、濃度設定される。
【００４０】
これに対して、アルカリ性水（電解水）の容量（貯水量）が、喫水線を上回っているとき、第１容量モニタ３８の出力に基づいて、給水制御装置９が電解水製造装置４を制御する。即ち、給水制御装置９が、給水バルブ３１、及び、第１希釈バルブ３５をそれぞれ閉制御する。これにより、アルカリ性水（電解水）の製造が自動的に停止される。
【００４１】
このように、第１容量モニタ３８の出力に基づいて、給水制御装置９が、給水バルブ３１、及び、第１希釈バルブ３５をそれぞれ開閉制御する。これにより、アルカリ性水タンク５ｔ（貯水空間）において、アルカリ性水（電解水）の容量（貯水量）ないし濃度が、常に一定に維持される。この結果、当該アルカリ性水（電解水）を、いつでも、日常生活の多様な用途に漏れなく活用することが可能になる。
【００４２】
また、酸性水タンク６ｔには、第２容量モニタ３９が設けられている。第２容量モニタ３９は、酸性水タンク６ｔ（貯水空間）に貯水された酸性水（電解水）の容量（貯水量）を監視可能に構成されている。第２容量モニタ３９は、例えば、酸性水タンク６ｔ（貯水空間）内に予め設定された喫水線（図示しない）に対する酸性水（電解水）の容量（貯水量）を監視する。なお、酸性水タンク６ｔの容量（貯水量）は、例えば、上記した集合建物（高層マンション）の規模、酸性水（電解水）の使用量の多少に応じて設定されるため、ここでは特に限定しない。
【００４３】
この場合、酸性水（電解水）の容量（貯水量）が、喫水線を下回っているとき、第２容量モニタ３９の出力に基づいて、給水制御装置９が電解水製造装置４を制御する。即ち、給水制御装置９が、給水バルブ３１、及び、第２希釈バルブ３７をそれぞれ開制御する。このとき、給水源２６から供給された水が、給水配管２７を通って陽極室１３に流入する。陽極室１３で生成された酸性水（電解水）が、酸性水配管２９を通って酸性水タンク６ｔに供給される。同時に、給水源２６から供給された水が、第２希釈配管３６を通って酸性水タンク６ｔに流入する。これにより、予め設定された濃度の酸性水（電解水）が、自動的に製造され、酸性水タンク６ｔに貯水される。
【００４４】
ここで、酸性水（電解水）は、次亜塩素酸濃度が、１０ｐｐｍ〜２００ｐｐｍの範囲、好ましくは、１０ｐｐｍ〜１００ｐｐｍの範囲、更に好ましくは、３０ｐｐｍ〜６０ｐｐｍの範囲になるように、濃度設定される。
【００４５】
これに対して、酸性水（電解水）の容量（貯水量）が、喫水線を上回っているとき、第２容量モニタ３９の出力に基づいて、給水制御装置９が電解水製造装置４を制御する。即ち、給水制御装置９が、給水バルブ３１、及び、第２希釈バルブ３７をそれぞれ閉制御する。これにより、酸性水（電解水）の製造が自動的に停止される。
【００４６】
このように、第２容量モニタ３９の出力に基づいて、給水制御装置９が、給水バルブ３１、及び、第２希釈バルブ３７をそれぞれ開閉制御する。これにより、酸性水タンク６ｔ（貯水空間）において、酸性水（電解水）の容量（貯水量）ないし濃度が、常に一定に維持される。この結果、当該酸性水（電解水）を、日常生活の多様な用途に漏れなく活用することが可能になる。
【００４７】
「電解水供給配管７」  
アルカリ性水タンク５ｔには、第１連結配管４０が接続されている。第１連結配管４０には、第１開閉弁４１が接続されている。第１開閉弁４１は、給水制御装置９によって、開閉制御される。かかる構成において、給水制御装置９によって第１開閉弁４１を開制御する。これにより、上記の濃度に設定された希釈化アルカリ性水が、第１連結配管４０を通って送出可能となる。
【００４８】
酸性水タンク６ｔには、第２連結配管４２が接続されている。第２連結配管４２には、第２開閉弁４３が接続されている。第２開閉弁４３は、給水制御装置９によって、開閉制御される。かかる構成において、給水制御装置９によって第２開閉弁４３を開制御する。これにより、上記の濃度に設定された希釈化酸性水が、第２連結配管４２を通って送出可能となる。
【００４９】
ここで、アルカリ性水供給配管と、酸性水供給配管とを別々に構成した場合（図示しない）、第１連結配管４０の延出先にアルカリ性水供給配管が接続され、また、第２連結配管４２に延出先に酸性水供給配管が接続される。これに対して、１本の電解水供給配管７を構成した場合（図１参照）、第１及び第２の連結配管４０,４２は、その延出先で１本に併合される（図示しない）。この併合部分に、当該１本の電解水供給配管７が接続される。
【００５０】
いずれの場合でも、電解水供給配管７は、最上層フロア３ないし中層フロア２を経由して、低層フロア１に亘って延出している。電解水供給配管７は、水道水配管を回避しつつ延出している。かかる構成において、第１及び第２連結配管４０,４２を通って送出された希釈化電解水（酸性水、アルカリ性水）は、電解水供給配管７内を自由落下する。このとき、自由落下することで、希釈化電解水（酸性水、アルカリ性水）は、各階層（フロア）に沿って延出した電解水供給網８に流れ込む。
【００５１】
「電解水供給網８」  
電解水供給網８は、上記した電解水供給配管７に接続される。このため、電解水供給配管７の構成に応じて、階層（フロア）１,２,３毎に、１ないし複数の電解水供給網８が構築される。例えば、１本の電解水供給配管７を構成した場合（図１参照）、階層（フロア）１,２,３毎に、１つの電解水供給網８（白抜き矢印）を構築すればよい。かかる構成において、１つの電解水供給網８に沿って、酸性水とアルカリ性水とが交互に供給される。また、1本の電解水供給管７に対し２つの電解水供給網８を構築してもよい。この場合、各階に酸性水、アルカリ性水をそれぞれ貯水するタンク５ｔ,６ｔを設ける。これにより、酸性水とアルカリ性水とを同時に取水口へ供給することが可能となる。
【００５２】
これに対して、アルカリ性水供給配管と、酸性水供給配管とを別々に構成した場合（図示しない）、アルカリ性水供給配管に接続可能なアルカリ性水供給網と、酸性水供給配管に接続可能な酸性水供給網とを別々に構築すればよい。かかる構成において、酸性水とアルカリ性水とを同時に供給することが可能となる。
【００５３】
電解水供給網８は、希釈化電解水（酸性水、アルカリ性水）を活用する場所（区画）に向かって、電解水供給配管７から分岐しながら延びている。ここで、活用場所（区画）には、酸性水、アルカリ性水、そして、水道水の３つの取水口（図示しない）を設けてもよい。これにより、目的の水（酸性水、アルカリ性水、水道水）を効率良く、かつ、間違いなく選択的に取り込むことができる。
【００５４】
これに対して、活用場所（区画）に１つの取水口を設ける場合、当該取水口として、水道水を吐出可能な水道水蛇口（図示しない）をそのまま適用してもよい。この場合、水道水配管と水道水蛇口との間に、切り替え機構（図示しない）を接続させる。切り替え機構に、電解水供給網８を接続させる。かかる構成において、切り替え機構を制御する。これにより、水道水蛇口から水道水を吐出させることと、水道水蛇口から希釈化電解水（酸性水、アルカリ性水）を吐出させることと、のいずれかに切り替えることが可能となる。
【００５５】
「活用場所（区画）での仕様例」  
「低層フロア１：共有設備」  
低層フロア１には、例えば、エレベータ１ａ、エレベータホール（エントランス）１ｂ、ペットの足洗い場１ｃなどの共有設備が区画されている。
【００５６】
「エレベータ１ａ」は、昇降動作を繰り返す。このため、エレベータ１ａの昇降動作に対応可能な取水口（図示しない）を適用することが好ましい。例えば、電解水供給配管７を柔軟なホース状に構成する。或いは、このような取水口に代えて、例えば、エレベータ１ａに希釈化電解水（酸性水、アルカリ性水）タンク（図示しない）をセットする。そして、当該タンクからエレベータ１ａ内に希釈化電解水を、例えば、ミスト状に噴霧する。噴霧のタイミングは、例えば、エレベータ１ａ内に取り付けた人感センサ（図示しない）によって搭乗者がいないことを確認した後に設定することが好ましい。
【００５７】
また、タンク内が空になった場合、例えば、停止した階層（フロア）１,２,３から自動的に希釈化電解水が注水されるようにしてもよい。更に、階層（フロア）１,２,３毎に、電解水噴霧機構（図示しない）を設ける。そして、エレベータ１ａの停止タイミングに同期させて、電解水噴霧機構からエレベータ１ａ内に希釈化電解水を噴霧する。噴霧の回数や時間については、自由に設定することができる。
【００５８】
更に、エレベータホール（エントランス）１ｂにも、希釈化電解水を噴霧するシステム（図示しない）を設けることが好ましい。この場合、噴霧のタイミングは、例えば、エレベータホール（エントランス）１ｂに取り付けた人感センサ（図示しない）の出力に基づいて設定することが好ましい。例えば、往来者がいないことを確認した後に、希釈化電解水を噴霧する。
【００５９】
「ペットの足洗い場１ｃ」では、取水口として、水道水を吐出可能な水道水蛇口（図示しない）をそのまま適用してもよい。この場合、水道水配管と水道水蛇口との間に、切り替え機構（図示しない）を接続させる。そうすると、切り替え機構によって、水道水蛇口から水道水を吐出させることと、水道水蛇口から希釈化電解水（酸性水、アルカリ性水）を吐出させることと、のいずれかに切り替えることができる。例えば、水道水で泥や埃を洗い落とす。次に、酸性水で除菌する。そして、アルカリ性水で洗浄する。
【００６０】
「中層フロア２：住宅設備」  
中層フロア２には、例えば、キッチン２ａ、バスルーム２ｂなどの住宅設備が区画されている。
【００６１】
「キッチン２ａ」は、水道水の利用頻度が比較的高い。このため、水道水蛇口（図示しない）とは別に、希釈化電解水（酸性水、アルカリ性水）を吐出可能な取水口（図示しない）を設けることが好ましい。この場合、キッチン２ａでの作業が終わった際、例えば、アルカリ性水で洗浄した後、酸性水で除菌する。これにより、キッチンを常に清浄された状態に維持することができる。
【００６２】
「バスルーム２ｂ」は、取水口（図示しない）と共に、希釈化電解水（酸性水、アルカリ性水）をミスト状に噴霧するシステム（図示しない）を併設することが好ましい。希釈化電解水をミスト状に噴霧することで、入浴者に対する美容用途、及び、浴室内のカビ防止用途を図ることができる。一方、取水口から取り込んだ希釈化電解水については、浴室内の殺菌及び洗浄に利用してもよい。また、希釈化電解水を入浴に利用してもよい。例えば、お湯に希釈化酸性水を混ぜる。これにより、浴槽から排水口に亘る領域に対する殺菌ないし除菌効果を期待することができる。更に、利用者のパネル操作だけで、水道水、希釈化電解水の選択を可能にすることが好ましい。
【００６３】
「最上層フロア３：専用設備」  
最上層フロア３には、例えば、プール３ａ、レストルーム（rest room）３ｂなどの専用設備が区画されている。
【００６４】
「プール３ａ」には、水道水、希釈化電解水（酸性水、アルカリ性水）の選択ができるシステム（図示しない）を構築することが好ましい。例えば、プール３ａの清掃時に、水道水で汚れを洗い落とした後、希釈化電解水を流す。これにより、プール３ａから排水口（図示しない）に亘る領域の殺菌及び洗浄を一度に行うことができる。その後、希釈化電解水をミスト状に噴霧する。これにより、プール３ａの施設全体の除菌ないしカビ防止を図ることができる。
【００６５】
図示しないトイレ及び洗面所が併設された「レストルーム３ｂ」は、水道水の利用頻度が比較的高い。このため、水道水蛇口（図示しない）とは別に、希釈化電解水（酸性水、アルカリ性水）を吐出可能な取水口（図示しない）を設けることが好ましい。特に、トイレには、水道水、及び、希釈化電解水を選択的に流すことが可能な取水口を設けることが好ましい。例えば、日常的には水道水を流し、一定のタイミングで希釈化酸性水を流す。これにより、トイレの殺菌、清掃、除臭（消臭）効果が期待できる。また、日常的に希釈化酸性水を流してもよい。
【００６６】
「一実施形態の動作例」  
図３〜図４のフローチャート（プロセスＳ１〜Ｓ８、Ｔ１〜Ｔ１１）を参照しつつ、電解水供給システムの動作の一例について説明する。
【００６７】
電解水製造装置４によって、電解水（アルカリ性水、酸性水）が製造される（図３のＳ１）。電解水は、電解水希釈手段５,６によって、予め設定された濃度に希釈される（図３のＳ２）。希釈化電解水（アルカリ性水、酸性水）は、電解水供給配管７によって、各階層（フロア）に供給される（図３のＳ３）。そして、当該希釈化電解水は、電解水供給網８によって、各階層（フロア）毎に構築された複数の区画に供給される（図３のＳ４）。
【００６８】
この場合、上記した切り替え機構が設けられている場合（図３のＳ５）、上記した切り替え制御が可能となる。更に、後述するバルブ機構が接続されている場合（図３のＳ６）、後述する切り替え制御が可能となる。
【００６９】
ここで、上記した希釈プロセスＳ２において、後述する流れモニタ４４を動作させる場合（図４のＴ１）、当該モニタ４４によって、各種配管（例えば、電解水供給配管７）の流れ状態が監視される（図４のＴ２）。即ち、水量が一定か監視される（図４のＴ３）。これに代えて、上記した容量モニタ３８,３９を動作させる場合（図４のＴ４）、同様に、水量が一定か監視される（図４のＴ３）。
【００７０】
このとき、水量を一定にできない原因が、アルカリ性水タンク５ｔにあるのか（図４のＴ５）、或いは、酸性水タンク６ｔにあるのか（図４のＴ６）が特定される。いずれの場合においても、タンク５ｔ,６ｔ内の貯水量が喫水線を下回っているのか（図４のＴ７）、或いは、上回っているのか（図４のＴ８）が判定される。
【００７１】
そして、下回っている場合（図４のＴ７）、電解水製造装置４によって、電解水（アルカリ性水、酸性水）が製造される（図４のＴ９）。そして、電解水希釈手段５,６によって、予め設定された濃度に希釈される（図４のＴ１０）。これに対して、上回っている場合（図４のＴ８）。電解水（アルカリ性水、酸性水）の製造が停止される（図４のＴ１１）。
【００７２】
「一実施形態の効果」  
本実施形態によれば、電解水製造装置４、及び、電解水希釈手段５,６を、電解水供給配管７によって希釈化電解水（酸性水、アルカリ性水）を供給する階層（フロア）１,２,３よりも上の階層（屋上フロア１０）に設置する。これにより、希釈化電解水を、電解水供給配管７に沿って自由落下させることができる。自由落下させることで、例えば、ポンプなどの送水機構を別途設けること無く、希釈化電解水を、各階層（フロア）に沿って延出した電解水供給網８に流れ込ませることができる。かくして、希釈化電解水を、各階層（フロア）１,２,３における複数の区画（例えば、共有設備、住宅設備、専用設備）に亘って漏れなく供給させることができる。
【００７３】
本実施形態によれば、希釈化した電解水（酸性水、アルカリ性水）を各階層（フロア）１,２,３に供給する。これにより、例えば、電解水供給配管７に漏れが生じた場合でも、漏れ出た電解水が、周辺各所に悪影響を与えることは無い。
【００７４】
本実施形態によれば、希釈化電解水を自由落下させる電解水供給配管７とは別に、各階層（フロア）１,２,３に沿って電解水供給網８を延出させる。これにより、電解水製造装置４を設置できない場所にも、希釈化電解水を漏れなく行き渡らせることができる。これにより、希釈化電解水を日常生活の多様な用途に漏れなく活用することが可能になる。
【００７５】
本実施形態によれば、希釈化電解水を自由落下させるだけのシステムである。ここで、例えば、希釈化電解水（酸性水、アルカリ性水）を汲み上げるシステムを想定すると、少なくとも２つのポンプ（酸性水用ポンプ、アルカリ性水用ポンプ）が必要となる。そうなると、システム全体の構成が煩雑化すると共に、システムを構築するためのコストも上昇してしまう。これに対して、上記した本実施形態のように、希釈化電解水を自由落下させるだけのシステムであれば、ポンプ（送水機構）が一切不要となる。これにより、システム全体の構成も簡素化できる。この結果、システムを構築するためのコストを飛躍的に低減させることができる。
【００７６】
本実施形態によれば、電解水希釈手段５,６（アルカリ性水タンク５ｔ、酸性水タンク６ｔ）に、容量モニタ３８,３９を設ける。これにより、容量モニタ３８,３９の出力に基づいて、各タンク５ｔ,６ｔ内の電解水（アルカリ性水、酸性水）の容量（貯水量）ないし濃度を、常に一定に維持することができる。この結果、目的の電解水を、いつでも、日常生活の多様な用途に漏れなく活用することが可能になる。
【００７７】
「第１変形例」  
上記した容量モニタ３８,３９に代えて、例えば、流れモニタ４４を適用してもよい。本変形例において、流れモニタ４４は、上記した電解水供給配管７に設けられる。なお、アルカリ性水供給配管と、酸性水供給配管とを別々に構成した場合、流れモニタ４４は、各々の配管に設ければよい。
【００７８】
具体的には、流れモニタ４４は、電解水供給配管７と、上記した電解水供給網８との間に接続させる。好ましくは、流れモニタ４４は、最上階の電解水供給網８と、電解水希釈手段５,６との間の電解水供給配管７に接続させる。最上階の電解す供給網８は、電解水製造装置４、及び、電解水希釈手段５,６が設置された階層（屋上フロア１０）の直下に隣り合う階層（最上層フロア３）に沿って延出している。
【００７９】
本変形例において、流れモニタ４４は、電解水希釈手段（アルカリ性水希釈手段５、酸性水希釈手段６）から流出した希釈化電解水（酸性水、アルカリ性水）の流れ状態を監視する。ここで、流れ状態とは、例えば、単位時間当たりの流量ないし流速を含む概念である。かかる構成によれば、流れモニタ４４の出力に基づいて、上記した給水制御装置９が電解水製造装置４を制御する。これにより、希釈化電解水を自動的に製造することができる。
【００８０】
「第２変形例」  
上記した電解水製造装置４と電解水希釈手段５,６に対して、それぞれ、水道水配管（図示しない）を接続させてもよい。即ち、水道水配管に対して、バルブ機構（図示しない）を介して、電解水製造装置４と電解水希釈手段５,６とをそれぞれ接続させる。バルブ機構は、例えば、上記した給水制御装置９によって開閉制御させる。
【００８１】
本変形例において、バルブ機構を開閉制御することで、電解水製造装置４から水道水配管に電解水を流すことと、電解水希釈手段５,６から水道水配管に電解水を流すことと、水道水配管に水道水を流すことと、のいずれかに切り替えることが可能である。かかる構成によれば、電解水製造装置４から水道水配管に、比較的濃度の高い電解水を流すことができる。これにより、水道水配管の内部に対する殺菌及び洗浄および、電解水が流れ込む排水管の殺菌、洗浄を確実に行うことができる。
【００８２】
「第３変形例」  
上記した電解水供給システムの適用範囲としては、例えば、将来的に電解水が活用されそうな家電を含めることができる。家電としては、特に図示しないが、例えば、洗濯機、エアコン、空気清浄機などを想定することができる。
【００８３】
「発明の範囲」  
上記した一実施形態、並びに、第１及び第２変形例は、例として提示したものであり、発明の範囲を限定することは意図していない。これら新規な実施形態やその変形例は、その他の様々な形態で実施されることが可能であり、発明の要旨を逸脱しない範囲で、種々の省略、置き換え、変更を行うことができる。これら新規な実施形態やその変形は、発明の範囲や要旨に含まれるとともに、特許請求の範囲に記載された発明とその均等の範囲に含まれる。
【符号の説明】
【００８４】
１…低層フロア、２…中層フロア、３…最上層フロア、４…電解水製造装置、
５…アルカリ性水（電解水）希釈手段、６…酸性水（電解水）希釈手段、
７…電解水供給配管、８…電解水供給網、９…給水制御装置、１０…屋上フロア。
【図１】
2017056397.tif 000003
【図２】
2017056397.tif 000004
【図３】
2017056397.tif 000005
【図４】
2017056397.tif 000006